(57)【特許請求の範囲】
【請求項１】
樹脂製化粧フィルムと薄手のメタルプレートとが積層され、前記化粧フィルムから前記メタルプレートに連通するピンホールが全面に亘って透設された基板が、前記メタルプレートを上側にして両側縁が立ち上げられて側壁が形成された枠体と、前記枠体とは別体に形成されて、前記枠体の一方の側壁に固定される第一係止手段と、前記枠体とは別体に形成されて、前記枠体の他方の側壁に固定される前記第一係止手段に対応する第二係止手段と、前記枠体内に装填される断熱・吸音材とから成ることを特徴とするスパンドレルタイプの吸音性天井材。
【請求項２】
前記第一係止手段は、前記側壁の内側面に固定される垂直部を有するクランク形状を呈する長尺材であり、前記第二係止手段は、前記側壁の内側面に固定される垂直部を有するクランク形状を呈する長尺材であり、前記第一係止手段と前記第二係止手段は、互いに当接し合う垂直面を有し、前記垂直面同士が接合される、請求項１に記載の吸音性天井材。
【請求項３】
前記第二係止手段の前記垂直面は、その上端から接合相手の前記断熱・吸音材の上面端部を覆うように延びる押止面を有する、請求項２に記載の吸音性天井材。
【請求項４】
前記第一係止手段は、前記側壁の内側面に固定される垂直部と、端部が上側又は下側に折り返された水平部とから成る直角形状の長尺材であり、前記第二係止手段は、前記側壁の内側面に固定される垂直部と、前記第一係止手段の前記水平部を受け入れるＵ字型溝部とから成る長尺材である、請求項１に記載の吸音性天井材。
【請求項５】
前記第一係止手段は、前記側壁の内側面に固定される垂直部と、幅方向中間部に上側又は下側に膨出する膨出部を有する水平部とから成る直角形状の長尺材であり、前記第二係止手段は、前記側壁の内側面に固定される垂直部と、前記第一係止手段の前記水平部を受け入れるＵ字型溝部とから成る長尺材である、請求項１に記載の吸音性天井材。
【請求項６】
前記Ｕ字型溝部の上面は、接合相手の前記断熱・吸音材の上面端部を覆う長さに延長される、請求項４又は５に記載の吸音性天井材。
【発明の詳細な説明】
【技術分野】
【０００１】
本発明は吸音性天井材に関するものであり、より詳細には、コンサートホール、公共施設、学校、病院、図書館、会社の会議室、一般住宅等の天井用のパネルであって、見栄えがよくて施工性のよい、スパンドレルタイプの吸音性天井材に関するものである。
【背景技術】
【０００２】
従来、オフィスビルのホール、コンサートホール、公共施設、学校、病院、図書館等の天井には、留め付けビスが隠れるように成形された金属化粧板であるスパンドレルや、システム天井が多く用いられている。一般にシステム天井には、格子に組んだスチール製Ｔバー上に、正方形に形成したロックウール製等のボードを載置するタイプと、同一方向にライン状に組んだスチール製Ｔバー上に、長尺に形成したロックウール製等のボードを載置するタイプとがある。
【０００３】
本出願人は先に、任意の模様や色柄を印刷した樹脂製化粧フィルムと薄手のメタルプレートとを積層した基板を設け、前記基板の少なくとも両側辺を立ち上げて側壁を形成し、前記側壁の内側に、前記側壁と同じかそれ以上の高さの断熱・吸音材７を装填して成る、スパンドレルタイプの天井材Ｄを提案している（特許第６３８６２５３号公報）。この天井材Ｄは、一方の側の側壁４５上端に、水平方向に伸びる差し込み板４８が形成され、他方の側の側壁４５ａに、差し込み板４８を受け入れて係止する係止部４９が形成されている。そして、１つの基板の差し込み板４８を隣の基板の係止部４９に差し込んで係止させる方法で、横に連結していく（図１５参照）。
【先行技術文献】
【特許文献】
【０００４】
【特許文献１】特許第６３８６２５３号公報
【特許文献２】特開平１１−１２４９４５号公報
【特許文献３】特開平８−１５８５２４号公報
【特許文献４】実全昭６０−１５０２４７号公報
【発明の概要】
【発明が解決しようとする課題】
【０００５】
上記提案に係る天井材の場合は、１つの基板の差し込み板を隣の基板の係止部に差し込んで係止させる方法で横に連結していくもので、施工性がよいが、一方の側の側壁上端に差し込み板を形成し、他方の側の側壁に、差し込み板を受け入れて係止する係止部を形成する必要があるため、フォーミング加工等に手間とコストがかかるだけでなく、突出する差し込み板や係止部等の接合部材が損傷した場合は、全体を交換しなければならず、不経済である。また、これらの接合部材には施工後負荷がかかるため、ある程度の強度を具備することが要求される。そのために基板を厚手にした場合は、その分重量が嵩んで取り扱いにくくなり、材料コストも嵩むという問題がある。
【０００６】
そこで本発明は、製造加工が容易で、比較的廉価にて供給でき、軽量で取り扱いやすくて施工性がよく、見栄の良い、高級感のある外観の天井を容易且つ迅速に構築するのに好適な吸音性天井材を提供することを課題とする。
【課題を解決するための手段】
【０００７】
上記課題を解決するための請求項１に係る発明は、樹脂製化粧フィルムと薄手のメタルプレートとが積層され、前記化粧フィルムから前記メタルプレートに連通するピンホールが全面に亘って透設された基板が、前記メタルプレートを上側にして両側縁が立ち上げられて側壁が形成された枠体と、前記枠体とは別体に形成されて、前記枠体の一方の側壁に固定される第一係止手段と、前記枠体とは別体に形成されて、前記枠体の他方の側壁に固定される前記第一係止手段に対応する第二係止手段と、前記枠体内に装填される断熱・吸音材とから成ることを特徴とするスパンドレルタイプの吸音性天井材である。
【０００８】
一実施形態においては、前記第一係止手段は、前記側壁の内側面に固定される垂直部を有するクランク形状を呈する長尺材であり、前記第二係止手段は、前記側壁の内側面に固定される垂直部を有するクランク形状を呈する長尺材であり、前記第一係止手段と前記第二係止手段は、互いに当接し合う垂直面を有し、前記垂直面同士が接合される。
【０００９】
一実施形態においては、前記第二係止手段の前記垂直面は、その上端から接合相手の前記断熱・吸音材の上面端部を覆うように延びる押止面を有する。
【００１０】
一実施形態においては、前記第一係止手段は、前記側壁の内側面に固定される垂直部と、端部が上側又は下側に折り返された水平部とから成る直角形状の長尺材であり、前記第二係止手段は、前記側壁の内側面に固定される垂直部と、前記第一係止手段の前記水平部を受け入れるＵ字型溝部とから成る長尺材である。
【００１１】
一実施形態においては、前記第一係止手段は、前記側壁の内側面に固定される垂直部と、幅方向中間部に上側又は下側に膨出する膨出部を有する水平部とから成る直角形状の長尺材であり、前記第二係止手段は、前記側壁の内側面に固定される垂直部と、前記第一係止手段の前記水平部を受け入れるＵ字型溝部とから成る長尺材である。
【００１２】
一実施形態においては、前記Ｕ字型溝部の上面は、接合相手の前記断熱・吸音材の上面端部を覆う長さに延長される。
【発明の効果】
【００１３】
本発明に係る吸音性天井材は上記のとおりのものであって、枠体と一対の係止手段が別個に形成され、後に一体化されるものであるため、製造が容易で比較的廉価にて提供でき、負荷のかかる係止手段のみ強度確保のために厚手にし、枠体は薄手の素材で構成できるので、全体が軽量となって取り扱いが容易となるだけでなく、材料コストを節減でき、また、単に、第１の吸音性天井材の第一係止手段を第２の吸音性天井材の第二係止手段に係止させる方法で多数の天井材を横並びに接合していくことができるので、施工性がよいという効果がある。
【００１４】
また、室内の騒音、雑音は無数のピンホールから吸収され、その上の断熱・吸音材に取り込まれて消音されるので、本発明に係る吸音性天井材は、特にコンサートホール、公共施設、学校、病院、図書館、会社の会議室その他、消音が必要な室内の天井材として好適であり、更に、その構成素材からして不燃性を具備するという効果がある。
【図面の簡単な説明】
【００１５】
【図１】本発明に係る吸音性天井材の第１の実施形態の構成を示す斜視図である。
【図２】図１に示す吸音性天井材の分解斜視図である。
【図３】図１に示す吸音性天井材の接合状態を示す要部斜視図である。
【図４】図１に示す吸音性天井材の施工状態を示す図である。
【図５】本発明に係る吸音性天井材の第２の実施形態の構成を示す斜視図である。
【図６】図５に示す吸音性天井材の接合状態を示す要部斜視図である。
【図７】図５に示す吸音性天井材の施工状態を示す図である。
【図８】本発明に係る吸音性天井材の第３の実施形態の構成を示す斜視図である。
【図９】図８に示す吸音性天井材の分解斜視図である。
【図１０】図８に示す吸音性天井材の接合状態を示す要部斜視図である。
【図１１】図８に示す吸音性天井材の施工状態を示す図である。
【図１２】本発明に係る吸音性天井材の第３の実施形態の構成を示す斜視図である。
【図１３】図１２に示す吸音性天井材の接合状態を示す要部斜視図である。
【図１４】図１２に示す吸音性天井材の施工状態を示す図である。
【図１５】従来提案されている吸音性天井材の接合状態を示す図である。
【発明を実施するための形態】
【００１６】
以下に、本発明を実施するための形態につき、添付図面に依拠して説明する。本発明に係る吸音性天井材Ａは、樹脂製の化粧フィルム２と薄手のメタルプレート３とが積層され、化粧フィルム２からメタルプレート３に連通するピンホール４が全面に亘って透設された基板が、メタルプレート３を上側にして両側縁が立ち上げられて側壁５，５ａが形成された枠体１と、枠体１の一方の側壁５に固定される第一係止手段と、枠体１の他方の側壁５ａに固定される、前記第一係止手段に対応する第二係止手段と、枠体１内に装填される断熱・吸音材７とから成ることを特徴とするものである。
【００１７】
表層となる、換言すれば、人目に晒されることになる化粧フィルム２は、木目模様その他種々多様の任意の模様や色柄表現等の印刷が可能なものである。この化粧フィルム２としては、例えば、グラビア印刷可能な、厚さ０．１７ｍｍ以下の塩化ビニル樹脂系フィルムが用いられる。この化粧フィルム２が、アクリル樹脂系粘着剤等の粘着層を介してメタルプレート３に合着される。メタルプレート３としては、例えば、厚さ０．６ｍｍ前後、即ち、０．６±０．２ｍｍの薄手のアルミニウム合金板が用いられる。
【００１８】
化粧フィルム２とメタルプレート３には、互いに連通し合うピンホール４が、その全面に亘って透設される。各ピンホール４は、化粧フィルム２とメタルプレート３の合着前にそれぞれに透設しておき、双方のピンホールを合わせて合着することとしてもよいが、合着後に化粧フィルム２からメタルプレート３にかけて穿孔する方法の方が効率的である。
【００１９】
ピンホール４は、目立たないサイズ、即ち、０．５〜１ｍｍ程度の微小孔であって、定間隔（例えば、４ｍｍ）置きに又はランダムに穿設される。孔径がこのレベルであると、天井面に配設された場合、その表面に施される模様や色柄表現等に関係なく、ほとんど視認することができないものとなる。
【００２０】
側壁５、５ａは必ずしも垂直である必要はなく、その一方又は双方を外方に傾けて形成することもある。断熱・吸音材７は、側壁５、５ａ間に密に収まる、グラスウール（ロックウール）、発泡樹脂等の厚みが２５ｍｍ程度の断面四角形（あるいは台形）の長尺成型体で、側壁５、５ａの内側に密着するように装填される。断熱・吸音材７は、通例、図示した例のように、側壁５、５ａの高さ以上の厚みのものとされる。
【００２１】
上述したように、枠体１の一方の側の側壁５に第一係止手段ａが取り付けられ、他方の側の側壁５ａに、第一係止手段ａと係止し合う第二係止手段ｂが取り付けられる。図１〜７に示される第１の実施形態の場合の第一係止手段ａは、一方の側壁５の内側面に固定される垂直部１１と、水平部１２と、垂直面１３を有するクランク形状の長尺材であり、第二係止手段ｂは、他方の側壁５ａの内側面に固定される垂直部１５と、水平部１６と、垂直面１７を有するクランク形状の長尺材である。
【００２２】
この第１の実施形態の場合は、第一係止手段ａの垂直面１３と第二係止手段ｂの垂直面１７とが当接して接合される（図３，４）。そのために、垂直部１５の高さは垂直部１１よりも少し低くされ、目地なしに施工する場合は、水平部１６の長さは、水平部１２よりも少し短くされ（図１〜４）、また、目地ありに施工する場合は、水平部１６は、水平部１２の２分の１〜３分の２程度の長さとされる（図５〜７）。好ましくは、第二係止手段ｂの垂直面１７には、その上端から接合相手となる吸音性天井材Ａの断熱・吸音材７の上面端部を覆うように延びる押止面１８が延設される。
【００２３】
第１の実施形態の吸音性天井材Ａを用いて目地なしに施工する場合は、図１に示す吸音性天井材Ａを用い、１枚目の吸音性天井材Ａ１の第二係止手段ｂの垂直部１５から水平部１６にかかる部分を、接合相手の２枚目の吸音性天井材Ａ２の第一係止手段ａの水平部１２の下側に挿入し、１枚目の吸音性天井材Ａ１の側壁５ａを２枚目の吸音性天井材Ａ２の側壁５に突き当てる（図３参照）。その際同時に、垂直面１３と垂直面１７とが当接するので、接着等により垂直面１３、１７同士を固定することにより、１枚目の吸音性天井材Ａ１を２枚目の吸音性天井材Ａ２に接合する。以下同様にして、必要数の吸音性天井材Ａを横に接合していくことにより、天井を構築する。
【００２４】
また、第１の実施形態の吸音性天井材Ａを用いて目地ありに施工する場合は、図５に示す吸音性天井材Ａを用い、上記の場合と同様に、１枚目の吸音性天井材Ａ１の第二係止手段ｂの垂直部１５から水平部１６にかかる部分を、接合相手の２枚目の吸音性天井材Ａ２の第一係止手段ａの水平部１２の下側に挿入していく。この場合は、垂直面１３と垂直面１７とが当接するが、水平部１６が水平部１２よりもかなり短いため、天井材Ａ１の側壁５ａは２枚目の吸音性天井材Ａ２の側壁５ａに届かず、そこに、水平部１６と水平部１２の長さの差に対応する目地が形成される（図６，７）。
【００２５】
次いで、図８〜１１に示される第２の実施形態について説明する。第２の実施形態の吸音性天井材Ｂは目地なしに施工する場合に用いるものであり、その場合の第一係止手段ａは、一方の側壁５の内側面に固定される垂直部２１と、垂直部２１の上端から水平外方向に延設され、先端部が上側又は下側に折り返されている水平部２２とから成る長尺材である。
【００２６】
また、第二係止手段ｂは、他方の側壁５ａの内側面に固定される垂直部２５と、垂直部２５の上端から水平内方向に延設され、第一係止手段ａの水平部２２を受け入れるＵ字型溝部２６とから成る長尺材である。Ｕ字型溝部２６の深さは、水平部２２の長さよりも深くなるように設定される。好ましくは、Ｕ字型溝部２６の上面は、接合相手の吸音性天井材Ａの断熱・吸音材７の上面端部を覆う長さに延長されて押止面２７とされる（図１０参照）。
【００２７】
この第２の実施形態の吸音性天井材Ｂを用いて施工するに際しては、１枚目の吸音性天井材Ｂ１の第一係止手段ａの水平部２２を、接合相手の２枚目の吸音性天井材Ｂ２の第二係止手段ｂのＵ字型溝部２６内に差し込むことにより、２枚目の吸音性天井材Ａを１枚目の吸音性天井材Ａに接合する。その際、１枚目の吸音性天井材Ｂ１の側壁５と２枚目の吸音性天井材Ｂ２の側壁５ａが密着するので、目地なし天井となる。以下同様にして、必要数の吸音性天井材Ｂを横に接合していく。なお、図１０，１１においては、水平部２２がＵ字型溝部２６内に内面に非接触状態に描かれているが、実際は接触状態となる。
【００２８】
次いで、図１２〜１４に示される第３の実施形態について説明する。第３の実施形態の吸音性天井材Ｃは目地ありに施工する場合のものであり、第２の実施形態の吸音性天井材Ｂとは第一係止手段ａの構成を異にするだけで、他の構成は同じである。即ち、吸音性天井材Ｃの場合の第一係止手段ａは、一方の側壁５の内側面に固定される垂直部３１と、幅方向中間部に上側又は下側に膨出する膨出部３３を有する水平部３２とから成る直角形状の長尺材であり、第二係止手段ｂは、他方の側壁５ａの内側面に固定される垂直部３５と、第一係止手段ａの水平部３２を受け入れるＵ字型溝部３６とから成る長尺材である。Ｕ字型溝部３６の深さは、水平部３２の長さよりも浅くなるように設定される。好ましくは、Ｕ字型溝部３６の上面は、接合相手の吸音性天井材Ａの断熱・吸音材７の上面端部を覆う長さに延長されて押止面３７とされる（図１３，１４参照）。
【００２９】
この第３の実施形態の吸音性天井材Ｃを用いて施工するに際しては、１枚目の吸音性天井材Ｃ１の第一係止手段ａの水平部３２を、接合相手の２枚目の吸音性天井材Ｃ２の第二係止手段ｂのＵ字型溝部３６内に差し込むことにより、２枚目の吸音性天井材Ｃ２を１枚目の吸音性天井材Ｃ１に接合する。その際、Ｕ字型溝部３６の深さが水平部３２の長さよりも浅いために、水平部３２の先端がＵ字型溝部３６の奥端に突き当たる（図３参照）。それにより、１枚目の吸音性天井材Ｃ１の側壁５と２枚目の吸音性天井材Ｃ２の側壁５ａが離れるので、目地あり天井となる。以下同様にして、必要数の吸音性天井材Ｃを横に接合していく。
【００３０】
以上いずれの実施形態の場合においても、人目に晒される表層を構成する化粧フィルム２は、木目その他任意の模様や色柄等を表現し、場合によっては天井画を表現することも可能であり、予め種々のものを用意しておいて用途に合わせて選択することができるだけでなく、その都度所望の模様や色柄に印刷して用いることも可能であるため、多品種小ロット施工に適するものとなる。
【００３１】
また、化粧フィルム２に穿設されるピンホール４は、孔径が０．５〜１ｍｍ程度の微小孔であって、近距離においても熟視しないと視認できず、ましてや、かなり上方に位置することになる天井に配置された場合には視認不可状態となる。従って、ピンホール４の存在によって見た目が損なわれることは皆無となる。更に、ピンホール４は、微小孔であるために埃が溜まりにくく、衛生的なものとなる。
【００３２】
そして、この化粧フィルム２はメタルプレート３に張着されるため、十分な表面強度が得られ、且つ、十分な保形力が確保される。また、室内の騒音、雑音は無数のピンホール４から吸収され、その上の断熱・吸音材７に取り込まれて消音される。従って、本発明に係る吸音性天井材Ａは、特にコンサートホール、公共施設、学校、病院、図書館、会社の会議室その他、消音が必要な室内の天井用パネルとして好適なものとなり、更に、その構成素材からして不燃性を具備するものとなる。
【００３３】
上記いずれの実施形態においても、厚さ０．６ｍｍ前後の薄手のアルミニウム合金板製で簡単にフォーミング加工できる枠体１と、やや複雑な形状の一対の係止手段とが別個に形成され、後に一体化されるものであるため、比較的負荷のかかる係止手段のみ、強度を持たせるために厚手（例えば、１ｍｍ以上）の素材製とし、あるいは、鉄等の高硬度の素材製とすることができる。そのため、天井材全体の重量を低く抑えることができ、且つ、取り扱いやすいものとなる。また、枠体１は、種々の実施形態において共通に汎用的に用いることができるので、経済的である。
【００３４】
なお、第一係止手段第一係止手段を第２の吸音性天井材の第二係止手段と第二係止手段の形状は上述したもの限られる訳ではなく、互いに係着し合う、任意の雄雌連結構造とすることができることは言うまでもない。
【産業上の利用可能性】
【００３５】
本発明に係る吸音性天井材は上記のとおりのものであって、枠体と一対の係止手段が別体に形成され、後に一体化されるものであるため、製造が容易で比較的廉価にて提供でき、負荷のかかる係止手段のみ強度確保のために厚手にし、枠体は薄手の素材で構成できるので、全体が軽量となって取り扱いが容易となるだけでなく、材料コストを節減でき、また、単に、第１の吸音性天井材の第一係止手段を第２の吸音性天井材の第二係止手段に係止させる方法で多数の天井材を横並びに接合していくことができるので、施工性がよいという効果があり、その産業上の利用可能性は大である。
【符号の説明】
【００３６】
Ａ，Ｂ，Ｃ    吸音性天井材
ａ            第一係止手段
ｂ            第二係止手段
１            枠体
２            化粧フィルム
３            メタルプレート
４            ピンホール
５、５ａ      側壁
７            断熱・吸音材
１１，１５，２１，２５，３１，３５    垂直部
１２，１６，２２，３２                水平部
１３，１７    垂直面
１８，２７，３７                      押止面
３６          Ｕ字型溝部
【要約】
【課題】製造加工が容易で、比較的廉価にて供給でき、施工性がよく、見栄の良い、高級感のある外観の天井を容易且つ迅速に構築するのに好適な天井材を提供することを課題とする。
【解決手段】樹脂製化粧フィルム２と薄手のメタルプレート３とが積層され、化粧フィルム２からメタルプレート３に連通するピンホール４が全面に亘って透設された基板が、メタルプレート３を上側にして両側縁が立ち上げられて側壁５，５ａが形成された枠体１と、枠体１の一方の側壁５に固定される第一係止手段ａと、枠体の他方の側壁に固定される第一係止手段ａに対応する第二係止手段ｂと、枠体１内に装填される断熱・吸音材７とから成る。
【選択図】図１【図１】
0006687791.tif 000002
【図２】
0006687791.tif 000003
【図３】
0006687791.tif 000004
【図４】
0006687791.tif 000005
【図５】
0006687791.tif 000006
【図６】
0006687791.tif 000007
【図７】
0006687791.tif 000008
【図８】
0006687791.tif 000009
【図９】
0006687791.tif 000010
【図１０】
0006687791.tif 000011
【図１１】
0006687791.tif 000012
【図１２】
0006687791.tif 000013
【図１３】
0006687791.tif 000014
【図１４】
0006687791.tif 000015
【図１５】
0006687791.tif 000016